(57)【要約】  本発明は、ヒンジ、電子デバイス、および電子デバイスの制御方法を提供し、この方法は、電気信号の変化を検出した場合、前記第１の金属片と前記第２の金属片の間の第１の電気信号を取得ステップと、前記第１の電気信号に従って前記ヒンジの第１の折畳角度を決定するステップと、前記第１の折畳角度に従って前記電子デバイスを制御するステップとを含む。
2022500611.tif 000002
【特許請求の範囲】
【請求項１】
ヒンジで連結されたＮ個のスリーブを含むヒンジであって、
前記Ｎ個のスリーブのうち、任意の隣接する２つのスリーブが互いに結合することができ、前記Ｎが２以上の正の整数であり、
第１のスリーブの第１の側壁に第１の金属片が設けられ、第２のスリーブの第２の側壁に第２の金属片が設けられ、前記第１のスリーブと前記第２のスリーブとは隣接する２つのスリーブであり、
前記第１のスリーブと前記第２のスリーブとが結合する場合、前記第１の側壁は前記第２の側壁に対向し、且つ、前記第１の金属片と前記第２の金属片とはオーバーラップする正射投影領域を有して、
前記第１の金属片と前記第２のうちの少なくとも１つの金属片に電気信号が印加されており、且つ前記第１のスリーブと前記第２のスリーブとが相対移動する場合、前記第１の金属片と前記第２の金属片の間の電気信号が変化することを特徴とする、ヒンジで連結されたＮ個のスリーブを含むヒンジ。
【請求項２】
前記第１のスリーブが第２のスリーブに結合され、前記第１の側壁が前記第１のスリーブの外側壁であり、前記第２のスリーブの側壁は前記第２のスリーブの内側壁であり、前記第１の金属片の第１の側部には第１の接点が設けられ、前記第２の金属片の第１の側部には第２の接点が設けられ、前記第１の接点が第２の金属片に沿って移動することができ、前記第２の接点が第１の金属片に沿って移動することができる、請求項１に記載のヒンジ。
【請求項３】
前記第１の金属片の第２の側部が負荷を介して第１の電源に電気的に接続され、前記第２の金属片の第２の側部が接地され、また前記第１の金属片の第２の側部が第１の電気信号検出器と電気的に接続されている、請求項２に記載のヒンジ。
【請求項４】
前記第１の金属片と第２の金属片との間にギャップがある、請求項１に記載のヒンジ。
【請求項５】
前記第１の金属片と第２の金属片との間のギャップに誘電体が充填で満たされている、請求項４に記載のヒンジ。
【請求項６】
第１の目標金属片が第２の電源に電気的に接続され、第２の目標金属片が第２の電気信号検出器に電気的に接続され、前記第１の目標金属片が前記第１の金属片および前記第２の金属片のうちのいずれかの金属片であり、前記第２の目標金属片が前記第１の金属片および前記第２の金属片のうちの前記第１の目標金属片以外の金属片である、請求項４に記載のヒンジ。
【請求項７】
第１の基板、第２の基板、および請求項１から６のいずれか一項に記載のヒンジを含み、前記第１の基板と前記第２の基板がヒンジで連結されている、電子デバイス。
【請求項８】
前記第１の基板には第１のスクリーンが設けられ、第２の基板には第２のスクリーンが設けられている、請求項７に記載の電子デバイス。
【請求項９】
電気信号の変化を検出した場合、前記第１の金属片と前記第２の金属片との間の第１の電気信号を取得するステップであって、
前記第１の電気信号によって、前記ヒンジの第１の折畳角度を決定し、前記第１の折畳角度によって、前記電子デバイスを制御する、ステップを含む、請求項７または８に記載の電子デバイスに適用される電子デバイス制御方法。
【請求項１０】
前記電子デバイスを制御することには、前記電子デバイスの音量を制御することと、前記電子デバイスの画面輝度を制御することと、電子デバイスの表示画面を切り替えることと、前記電子デバイスの作動するアプリケーションインターフェイスを制御することのうちの少なくとも１つを含む、請求項９に記載の方法。
【発明の詳細な説明】
【技術分野】
【０００１】
本発明は、通信技術の分野に関し、特に、ヒンジ、電子デバイス、および電子デバイスの制御方法に関する。
（関連出願の相互参照）
本出願は、２０１８年９月２６日に中国で提出された中国特許出願番号第Ｎｏ．２０１８１１１２２７３８．Ｘ号の優先権を主張しており、そのすべての内容は引用によりここに含まれている。
【背景技術】
【０００２】
電子デバイスの急速な発展に伴い、電子デバイスによって提供される機能は、益々多くなり、電子デバイスのスクリーンも益々大きくなっている。大型スクリーンの電子デバイスの持ち運びを容易にするために、一部の電子デバイスは、スクリーンを折り畳むことができる。現在の電子デバイスは、主にヒンジを介して２つのスクリーンを接続し、スクリーンの折畳操作を実現している。しかし、関連技術における電子デバイスは、スクリーンを折り畳む過程で折畳角度を測定することができず、折畳操作の折畳角度によって電子デバイスを制御・管理することができず、その結果、折畳操作によって電子デバイスを制御・管理することの応用範囲が比較的小さい。
【０００３】
関連技術では、折畳操作の折畳角度を測定することができないため、折畳操作によって電子デバイスを制御・管理することの応用範囲が比較的小さい、という問題があることが分かる。
【発明の概要】
【発明が解決しようとする課題】
【０００４】
本発明の実施例は、関連技術において、折畳角度を測定することができないため、折畳操作によって電子デバイスを制御・管理することの応用範囲が比較的小さい、という問題を解決するヒンジ、電子デバイス、および電子デバイスの制御方法を提供する。
【０００５】
上記の技術的問題を解決するために、本発明は以下のように実施される。ヒンジで連結されたＮ個のスリーブを含むヒンジを提供し、前記Ｎ個のスリーブのうち、任意の隣接する２つのスリーブが互いに結合することができ、前記Ｎは２以上の正の整数である。前記第１のスリーブの第１の側壁に第１の金属片が設けられ、前記第２のスリーブの第２の側壁に第２の金属片が設けられ、前記第１のスリーブと前記第２のスリーブとは隣接する２つのスリーブである。前記第１のスリーブと第２のスリーブとが結合する場合、前記第１の側壁は前記第２の側壁に対向し、且つ、前記第１の金属片と前記第２の金属片とはオーバーラップする正射投影領域を有する。前記第１の金属片と前記第２のうちの少なくとも１つの金属片に電気信号が印加されており、且つ前記第１のスリーブと前記第２のスリーブとが相対移動する場合、前記第１の金属片と前記第２の金属片の間の電気信号が変化する。
【０００６】
第１の態様では、本発明の実施例は、ヒンジで連結されたＮ個のスリーブを含むヒンジを提供しており、前記Ｎ個のスリーブのうち、任意の隣接する２つのスリーブが互いに結合することができ、前記Ｎは２以上の正の整数であり、
前記第１のスリーブの第１の側壁に第１の金属片が設けられ、前記第２のスリーブの第２の側壁に第２の金属片が設けられ、前記第１のスリーブと前記第２のスリーブとは隣接する２つのスリーブであり、
前記第１のスリーブと前記第２のスリーブとが結合する場合、前記第１の側壁は前記第２の側壁に対向し、且つ、前記第１の金属片と前記第２の金属片とはオーバーラップする正射投影領域を有して、
前記第１の金属片と前記第２のうちの少なくとも１つの金属片に電気信号が印加されており、且つ前記第１のスリーブと前記第２のスリーブとが相対移動する場合、前記第１の金属片と前記第２の金属片の間の電気信号が変化する。
【０００７】
第２の態様では、本発明の実施例は、第１の基板、第２の基板、および上記のヒンジを含む電子デバイスをさらに提供し、前記第１の基板と前記第２の基板とは、ヒンジで連結されている。
【０００８】
第３の態様では、本発明の実施例は、上記の電子デバイスに適用される電子デバイスの制御方法をさらに提供し、この方法は、
電気信号の変化を検出した場合、前記第１の金属片と前記第２の金属片の間の第１の電気信号を取得し、前記第１の電気信号に従って前記ヒンジの第１の折畳角度を決定し、前記第１の折畳角度に従って、前記電子デバイスを制御するステップを含む。
【発明の効果】
【０００９】
本発明の実施例において、ヒンジの第１の金属片と第２の金属片との間の電気信号に従ってヒンジの折畳角度を決定し、折畳角度に従って電子デバイスを制御し、これによって、電子デバイスを制御・管理するための折畳操作の応用範囲を拡大することができ、折畳操作がより豊富な応用管理機能を実現させる。
【００１０】
本発明の実施例における技術的なソリューションをさらに明確に説明するために、以降では、本発明の実施例の記載のために必要とされる添付の図面について簡単に説明する。明らかに、以降の説明における添付の図面は、本発明のいくつかの実施例を示しているにすぎず、当業者なら、それでもなお、創造的な努力を伴わずにこれらの添付の図面からその他の図面を導き出し得る。
【図面の簡単な説明】
【００１１】
【図１】本発明の実施例による折畳スクリーンの構造図の１つである。
【図２】本発明の実施例による隣接する２つのスリーブ間の関係を示す第１の概略図である。
【図３】本発明の実施例による隣接する２つのスリーブ間の関係を示す第２の概略図である。
【図４】本発明の実施例による隣接する２つのスリーブ間の関係を示す第３の概略図である。
【図５】本発明の実施形態による電子デバイスの制御方法の流れ図である。
【図６】本発明の実施形態による電子デバイスの構造図である。
【発明を実施するための形態】
【００１２】
以下、本発明の実施例における添付の図面に関して、本発明の実施例における技術的なソリューションを明確かつ完全に説明するが、明らかに、記載されている実施例は、本発明の実施例の一部であり、すべての実施例ではない。当業者が創造的な努力を伴わずに本発明の実施例に基づいて導き出したその他の実施例は、すべて本発明の保護範囲に含まれる。
【００１３】
本発明の実施例では、ヒンジは、ヒンジで連結されたＮ個のスリーブを含む。前記Ｎ個のスリーブのうち、任意の隣接する２つのスリーブが互いに結合することができ、前記Ｎは２以上の正の整数である。前記第１のスリーブの第１の側壁に第１の金属片が設けられ、前記第２のスリーブの第２の側壁に第２の金属片が設けられ、前記第１のスリーブと前記第２のスリーブとは隣接する２つのスリーブである。  前記第１のスリーブと第２のスリーブとが結合する場合は、前記第１の側壁が前記第２の側壁に対向し、前記第１の金属片が前記第２の金属片に対向し、且つ、前記第１の金属片と前記第２の金属片とはオーバーラップする正射投影領域を有する。前記第１の金属片と前記第２のうちの少なくとも１つの金属片に電気信号が印加されており、且つ前記第１のスリーブと前記第２のスリーブとが相対移動する場合、前記第１の金属片と前記第２の金属片の間の電気信号が変化する。
【００１４】
具体的には、本発明の実施例による折畳スクリーンの構造図である図１を参照されたい。図１に示すように、折畳スクリーン１００は、第１のスクリーン１０１と、第２のスクリーン１０２と、およびヒンジ１０３とを含む。前記第１のスクリーン１０１および前記第２のスクリーン１０２は、ヒンジ１０３を介して結合される。ヒンジ１０３の伸長によって、第１のスクリーン１０１と第２のスクリーン１０２とを折畳状態にすることができ、ヒンジ１０３の圧縮によって第１のスクリーン１０１と第２のスクリーン１０２を展開状態にすることができる。図１に示すように、ヒンジ１０３を展開すると、第１のスクリーン１０１と第２のスクリーン１０２を折畳状態にする。
【００１５】
図１に示すヒンジ１０３は、Ｎ個のスリーブを含む。Ｎ個のスリーブは、第１のスリーブ１０３１と第２のスリーブ１０３２とを含む。第１のスリーブ１０３１と第２のスリーブ１０３２は、互いに結合された２つの隣接するスリーブである。第１のスリーブ１０３１には第１の金属片を設けることができ、第２のスリーブ１０３２には第２の金属片を設けることができる。
【００１６】
図１に示すように、ヒンジ１０３のＮ個のスリーブは、第３のスリーブ１０３３と第４のスリーブ１０３４とをさらに含む。第３のスリーブ１０３３と第４のスリーブ１０３４は、互いに結合された２つの隣接するスリーブである。第３のスリーブ１０３３には第３の金属片を設けることができ、第４のスリーブ１０３４には第４の金属片を設けることができる。第４のスリーブ１０３４と第１のスリーブ１０３１との間にギャップ１０３５があり得る。
【００１７】
本発明による隣接する２つのスリーブ間の結合関係の概略図である図２を参照されたい。図２に示すように、第１のスリーブ２０１と第２のスリーブ２０２とは隣接している。前記第１のスリーブ２０１が前記第２のスリーブ２０２に結合されるか、または前記第２のスリーブ２０２が前記第１のスリーブ２０１に結合されることができる。前記第１のスリーブ２０１は、側壁ＡＥＤ、側壁ＥＪＨＤ、および側壁ＦＪＨからなるスリーブである。前記第２のスリーブ２０２は、側壁ＡＣＢ、側壁ＣＩＧＢ、側壁ＦＩＧからなるスリーブである。
【００１８】
図２に示す実施例では、第１のスリーブ２０１の第１の側壁は、側壁ＡＥＤ、側壁ＥＪＨＤ、および側壁ＦＪＨのいずれか１つであり得る。第１の側壁は、側壁ＡＥＤである場合、前記第２のスリーブ２０２は側壁ＡＣＢである。第１の側壁が側壁ＥＪＨＤである場合、前記第２のスリーブ２０２は側壁ＣＩＧＢである。第１の側壁は側壁ＦＪＨである場合、前記第２のスリーブ２０２は側壁ＦＩＧである。
【００１９】
側壁ＥＪＨＤに第１の金属片を、側壁ＣＩＧＢに第２の金属片を設けることができる。前記第１の金属片は、前記第２の金属片に対向し、且つ前記第１の金属片と前記第２の金属片とはオーバーラップする正射投影領域を有する。
【００２０】
前記第１の金属片と前記第２のうちの少なくとも１つの金属片に電気信号を印加することができ、第１のスリーブ２０１と第２のスリーブ２０２とが相対移動する場合、第１の金属片と第２の金属片とのオーバーラップする正射投影領域が変化し、その結果、第１の金属片と第２の金属片の間の電気信号が変化する。第１の金属片と第２の金属片との間の電気信号を検出することにより、第１のスリーブと第２のスリーブとの間の相対移動の角度を決定し、隣接するスリーブ間の相対移動の角度によってＮ個のスリーブを含むヒンジに対応する折畳角度を決定することができる。前記第１のスクリーンと前記第２のスクリーンをヒンジで連結する場合、第１のスクリーンと第２のスクリーンを備える電子デバイスは、ヒンジの折畳角度によって制御されることができる。例えば、電子デバイスは、ヒンジを介して以下の制御のうちの少なくとも１つを実施することができる。前記電子デバイスの音量を制御する。前記電子デバイスの画面輝度を制御する。電子デバイスの表示画面を切り替える。前記電子デバイスの作動するアプリケーションインターフェイスを制御する。
【００２１】
任意選択で、前記第１のスリーブは前記第２のスリーブに結合され、前記第１の側壁は前記第１のスリーブの外側壁であり、前記第２の側壁は前記第２のスリーブの内側壁である。前記第１の金属片の第１の側部に第１の接点が設けられ、前記第２の金属片の第１の側部に第２の接点が設けられる。前記第１の接点は前記第２の金属片に沿って、前記第２の接点は前記第１の金属片に沿って移動することができる。
【００２２】
本発明の実施例による隣接する２つのスリーブ間の関係を示す第２の概略図である図３を参照されたい。図３に示すように、隣接する２つのスリーブは、第１のスリーブ３０１と第２のスリーブ３０３であり、前記第１のスリーブ３０１は、前記第２のスリーブ３０３に結合されている。
【００２３】
前記第１のスリーブ３０１は、側壁ＡＥＤ、側壁ＥＪＨＤ、および側壁ＦＪＨからなるスリーブであり、前記第２のスリーブ３０３は、側壁ＡＣＢ、側壁ＣＩＧＢ、および側壁ＦＩＧからなるスリーブである。前記第１の側壁は、前記第１のスリーブ３０１に含まれる側壁ＡＥＤ、側壁ＥＪＨＤ、および側壁ＦＪＨのいずれかの側壁の外側壁である。第１の側壁が側壁ＡＥＤの外側壁である場合、前記第２のスリーブ３０３は側壁ＡＣＢの内側壁である。第１側壁が側壁ＥＪＨＤの外側壁である場合、前記第２のスリーブ３０３は側壁ＣＩＧＢの内側壁である。第１の側壁が側壁ＦＪＨの外側壁である場合、前記第２のスリーブ３０３は、側壁の内側壁ＦＩＧである。
【００２４】
図３に示すように、第１のスリーブ３０１の側壁ＥＪＨＤの外側壁に第１の金属片３０２が設けられ、前記第２のスリーブ３０３の側壁ＣＩＧＢの内側壁に第２の金属片３０４が設けられ、前記第１の金属片３０２は、前記第２の金属片３０４に対向している。前記第１の金属片３０２の第１の側部に第１の接点が設けられ、前記第２の金属片３０４の第１の側部に第２の接点が設けられる。前記第１の接点は前記第２の金属片３０４に沿って、前記第２の接点は前記第１の金属片３０２に沿って移動することができる。前記第１の金属片３０２と前記第２の金属片３０４とは、オーバーラップする正射投影領域を有する。第１の金属片３０２と第２の金属片３０４との間の相対移動により、正射投影領域のサイズを調整することができる。前記正射投影領域が大きくなったり小さくなったりすると、第１の金属片３０２と第２の金属片３０４間の抵抗値が変化し、その結果、前記第１の金属片と前記第２の金属片との間の電気信号が変化する。なお、前記第１の金属片３０２と前記第２の金属片３０４との中に生じたオーバーラップする正射投影領域の金属部分は、第１の接点と第２の接点を介して第１の金属片３０２と前記第２の金属片３０４の間で並列に接続されている金属部分である。
【００２５】
任意選択で、前記第１の金属片の第２の側部は負荷を介して第１の電源に電気的に接続され、前記第２の金属片の第２の側部は接地され、前記第１の金属片の第２の側部はまた、第１の電気信号検出器に電気的に接続される。
【００２６】
再度、図３を参照されたい。図３に示すように、前記第１の金属片３０２の第２の側部は、負荷３０７を介して第１の電源３０６に電気的に接続され、前記第２の金属片３０４の第２の側部は接地され、前記第１の金属片３０２の第２の側部はまた、第１の電気信号検出器３０５に電気的に接続される。なお、第１の金属片３０２の第２の側部が第１の電気信号検出器３０５の収集端に接続され、第１の電気信号検出器３０５の出力端がプロセッサに接続されることができ、第１の電気信号検出器３０５の出力端を介し、収集された電気信号をプロセッサに送信して、プロセッサによるさらなる処理を実施する。第１の電気信号検出器３０５は、アナログデジタル変換器であり得、第１の電気信号検出器３０５によって収集された電気信号は、電圧信号および／または電流信号を含み得ることを理解することができる。
【００２７】
図３において、第１の金属片３０２の長さをＬ、幅をｄ、厚さをａ、スリーブの半径をｒ、第１のスリーブ３０１と第２のスリーブ３０３の間の展開角度をθで表す。ヒンジにＮ個のスリーブが含まれている場合、θの値の範囲を０  ≦  θ  ≦  １８０／（Ｎ  −  １）、第１の電源の電圧値をＵ０、負荷をＲ１、第１の電気信号検出器３０５によって収集された電圧値をＶ、第１の金属片および第２の金属片の抵抗率をρで表すと、Ｕ０およびＶは以下の式（１）、すなわち［数式１］が成立する。
【００２８】
【数１】
2022500611.tif 000003
【００２９】
なお、第１のスリーブ３０１と第２のスリーブ３０３との間の展開角度がθである場合、θｒは、第１の金属片３０２の正射投影領域と第２の金属片３０４の正射投影領域とのオーバーラップ領域以外の非オーバーラップ領域に対応する第１の金属部分の長さを表すだけではなく、第２の金属片３０４の正射投影領域と第１の金属片３０２の正射投影領域とのオーバーラップ領域以外の非オーバーラップ領域に対応する第２の金属部分の長さも表す。
【００３０】
［数式２］は前記第１の金属部分および前記第２の金属部分の抵抗値の和を表す。
【００３１】
【数２】
2022500611.tif 000004
【００３２】
［数式３］は、第１のスリーブ３０１と第２のスリーブ３０３との間のオーバーラップ角度を表す。
【００３３】
【数３】
2022500611.tif 000005
【００３４】
［数式４］は、第１の金属片３０２の正射投影領域と第２の金属片３０４の正射投影領域とのオーバーラップ領域に対応する第３の金属部分の長さを表す。
【００３５】
【数４】
2022500611.tif 000006
【００３６】
［数式５］は、第２の金属片３０４の正射投影領域と第１の金属片３０２の正射投影領域とのオーバーラップ領域に対応する第４の金属部分の長さを表す。
【００３７】
【数５】
2022500611.tif 000007
【００３８】
［数式６］は、第３の金属部分と第４の金属部分との間の並列接続の抵抗値を表す。
【００３９】
【数６】
2022500611.tif 000008
【００４０】
式（１）によって、次の式（２）、すなわち［数式７］を導き出すことができる。ここで、（Ｎ−１）θはヒンジの折畳角度を表す。
【００４１】
【数７】
2022500611.tif 000009
【００４２】
ヒンジの折畳角度は、第１の電気信号検出器３０５によって収集された、第１の金属片３０２および第２の金属片３０４を流れる電流値から計算されてもよく、第１の電気信号検出器３０５によって収集された、第１の金属片３０２および第２の金属片３０４の抵抗値から計算されてもよいことを理解することができる。具体的な計算手順は、収集された電圧値から折畳角度を計算する上記の導出手順と同様である。詳細がここで再び記述されることはない。
【００４３】
このように、第１の金属片と第２の金属片との間の移動によって、ヒンジの折畳角度を決定し、折畳角度の精度を高めることができる。
【００４４】
任意選択で、前記第１の金属片と前記第２の金属片の間にギャップがある。
【００４５】
本発明の実施例による隣接する２つのスリーブ間の関係を示す第３の概略図である図４を参照されたい。図４に示すように、隣接する２つのスリーブは、第１のスリーブ４０１と第２のスリーブ４０３である。前記第１のスリーブ４０１が前記第２のスリーブ４０３に結合されてもよく、前記第２のスリーブ４０３が前記第１のスリーブ４０１に結合されてもよい。
【００４６】
前記第１のスリーブ４０１は、側壁ＡＥＤ、側壁ＥＪＨＤ、および側壁ＦＪＨからなるスリーブであり、前記第２のスリーブ４０３は、側壁ＡＣＢ、側壁ＣＩＧＢ、および側壁ＦＩＧからなるスリーブである。前記第１の側壁は、前記第１のスリーブ４０１に含まれる側壁ＡＥＤ、側壁ＥＪＨＤ、および側壁ＦＪＨのいずれかの側壁である。第１の側壁が側壁ＡＥＤである場合、前記第２のスリーブ４０３は側壁ＡＣＢである。第１の側壁が側壁ＥＪＨＤである場合、前記第２のスリーブ４０３は側壁ＣＩＧＢである。第１の側壁が側壁ＦＪＨである場合、前記第２のスリーブ４０３は側壁ＦＩＧである。
【００４７】
図４に示すように、第１のスリーブ４０１の側壁ＥＪＨＤに第１の金属片４０２が設けられ、第２のスリーブ４０３の側壁ＣＩＧＢに第２の金属片４０４が設けられ、前記第１の金属片４０２は第２の金属片４０４に対向し、且つ第１の金属片４０２と第２の金属片４０４との間にギャップがある。
【００４８】
任意選択で、前記第１の金属片と前記第２の金属片との間のギャップに誘電体が充填で満たされている。
【００４９】
再度、図４を参照されたい。第１の金属片４０２と第２の金属片４０４との間のギャップに誘電体が充填で満たされている。前記第１の金属片４０２、前記第２の金属片４０４、および誘電体は、コンデンサー素子と等価であり得る。誘電体は、抵抗率が１０Ω／ｃｍを超える物質であることを理解することができる。誘電体には、気体、液体、固体などの幅広い物質が含まれ、真空も含まれる。
【００５０】
任意選択で、第１の目標金属片は第２の電源に電気的に接続され、第２の目標金属片は第２の電気信号検出器に電気的に接続される。前記第１の目標金属片は前記第１の金属片および前記第２の金属片のうちのいずれかの金属片である。前記第２の目標金属片は、前記第１の金属片および前記第２の金属片のうちの、前記第１の目標金属片以外の金属片である。
【００５１】
再度、図４を参照されたい。図４に示すように、前記第１の金属片４０２は、負荷４０７を介して第２の電源４０６に電気的に接続され、前記第２の金属片４０４は第２の電気信号検出器４０５に電気的に接続される。なお、第１の金属片４０２は、第２の電源４０６に直接電気的に接続されることができ、負荷４０７に接続する役割は、部品が過電圧によって損傷されないことを保証するための電圧低減機能を付与することであること。第２の電気信号検出器４０５の収集端は第２の金属片４０４に接続され、第２の電気信号検出器４０５の出力端はプロセッサに接続されことができ、第２の電気信号検出器４０５の出力端を介して収集された電気信号をプロセッサに送信して、プロセッサによるさらなる処理を実施する。第２の電気信号検出器４０５はアナログ−デジタル変換器であり得、第１の電気信号検出器３０５によって収集された電気信号は電圧信号を含み得ることを理解することができる。
【００５２】
図４において、第１の金属片４０２の長さをＬ、幅をｄ、誘電体の厚さをａ１、スリーブの半径をｒ、第１のスリーブ４０１と第２のスリーブ４０３の間の展開角度をθで表す。ヒンジにＮ個のスリーブが含まれている場合、ヒンジが展開状態から完全に折畳状態までに必要とされる角度は１８０°であるので、θの値の範囲は０  ≦  θ  ≦  １８０／（Ｎ  −  １）であり、第２の電源の電圧値をＵ０、第２の電源が第１の金属片に電源Ｕ０を提供することで印加された電力量をＱ、電源負荷をＲ１、第２の電気信号検出器４０５によって収集された電圧値をＶ、第１の金属片および第２の金属片の誘電体をε、クローン定数をκで表すと、Ｕ０およびＶは以下の式（３）、すなわち［数式８］が成立する。
【００５３】
【数８】
2022500611.tif 000010
【００５４】
なお、［数式９］は第１のスリーブ４０１と第２のスリーブ４０３との間のオーバーラップ角度を表す。
【００５５】
【数９】
2022500611.tif 000011
【００５６】
［数式１０］は第１の金属片４０２の正射投影領域と第２の金属片４０４の正射投影領域とのオーバーラップ領域に対応する第３の金属部分の長さを表す。
【００５７】
【数１０】
2022500611.tif 000012
【００５８】
［数式１１］は第２の金属片３０４の正射投影領域と第１の金属片３０２の正射投影領域とのオーバーラップ領域に対応する第４の金属部分の長さを表す。
【００５９】
【数１１】
2022500611.tif 000013
【００６０】
第１の金属片４０２と第２の金属片４０４に等価する部品の静電容量値は［数式１２］である。
【００６１】
【数１２】
2022500611.tif 000014
【００６２】
電気量、静電容量および電圧の関係から、電気量Ｑと第２の電気信号検出器４０５によって収集された電圧値Ｖとの間に式（３）に示す関係が成立することが導き出される。
【００６３】
式（３）によって、次の式（４）、すなわち［数式１３］を導き出すことができる。ここで、（Ｎ―１）θはヒンジの折畳角度を表す。
【００６４】
【数１３】
2022500611.tif 000015
【００６５】
これにより、第１の金属片と第２の金属片との間に接触することがなく、第１の金属片と第２の金属片との間の相対移動に起因した第１の金属片および第２の金属片の摩耗がなく、第１の金属片と第２の金属片の寿命を向上させる。
【００６６】
なお、図１に示す第３のスリーブ１０３３および第４のスリーブ１０３４にとっても、上記と同様または類似の方法で第３の金属片と第４の金属片との間の電気信号を検出し、第３スリーブと第４スリーブとの間の相対移動角度を決定することができ、隣接するスリーブ間の相対移動角度によってＮ個のスリーブを含むヒンジに対応する折畳角度を決定する。
【００６７】
折畳角度の精度を向上させるために、図１に示す実施例における第１の金属片および第２の金属片を取り付ける方法に従って、Ｍ対の隣接する内外スリーブにそれぞれＭ対の金属片を対向して配置し、Ｍ対の金属片の間の電気信号を取得することができる。上記の実施例に記載の方法によると、Ｍ対の金属片の間の電気信号に従ってＭ個の折畳角度を決定することができ、Ｍ個の折畳角度の平均折畳角度をヒンジの折畳角度とする。
【００６８】
例えば、第３の金属片と第４の金属片の電気信号によって決定された折畳角度と、第１の金属片と第２の金属片の電気信号によって決定された折畳角度との平均折畳角度、をヒンジの折畳角度とする。このように、平均折畳角度を計算することにより、ヒンジ折畳角度の精度を向上させることができる。
【００６９】
本発明の実施例では、ヒンジの折畳角度は、ヒンジの第１の金属片と第２の金属片との間の電気信号によって決定することができ、折畳角度の精度が比較的高い。
【００７０】
本発明の実施例では、上記のヒンジで連結されている第１の基板と第２の基板とを含む電子デバイスをさらに提供する。
【００７１】
任意選択で、前記第１の基板に第１のスクリーンが設けられ、前記第２の基板に第２のスクリーンが設けられる。
【００７２】
本実施例では、電子デバイスは、ヒンジの第１の金属片と第２の金属片との間の電気信号を検出することによって、第１のスリーブと第２のスリーブとの間の相対移動角度を決定することができ、隣接するスリーブの間の相対移動角度に従って、Ｎ個のスリーブを含むヒンジに対応する折畳角度を決定する。第１スクリーンと第２スクリーンをヒンジで接続する場合、ヒンジの折畳角度に従って前記電子デバイス制御することができる。
【００７３】
例えば、電子デバイスは、ヒンジを介して以下の制御のうちの少なくとも１つを実施することができる。前記電子デバイスの音量を制御する。前記電子デバイスの画面輝度を制御する。電子デバイスの表示画面を切り替える。前記電子デバイスの作動するアプリケーションインターフェイスを制御する。
【００７４】
本発明の実施例において、電子デバイスは、ヒンジの第１の金属片と第２の金属片との間の電気信号に従ってヒンジの折畳角度を決定し、得られた折畳角度の精確が比較的高く、折畳角度で電子デバイスを制御することができ、電子デバイスを制御・管理するための折畳操作の応用範囲を拡大することができ、折畳操作がより豊富な応用管理機能を実現させる。
【００７５】
本発明の実施例による電子デバイスの制御方法の流れ図である図５を参照する。図５に示す電子デバイスの制御方法は、上記の電子デバイスに適用することができる。図５に示すように、電子デバイスの制御方法は、以下のステップを含む。
【００７６】
ステップ５０１は、電気信号の変化が検出された場合、前記第１の金属片と前記第２の金属片の間の第１の電気信号を取得するステップである。
【００７７】
本実施例では、ヒンジの圧縮過程で第１の金属片と第２の金属片との間の電気信号が変化するので、圧縮の程度によって、折畳角度が異なり、対応する電気信号も異なる。したがって、電気信号の変化を検出した場合、前記第１の金属片と前記第２の金属片との間の第１の電気信号を取得することができる。
【００７８】
ステップ５０２は、前記第１の電気信号に従って前記ヒンジの第１の折畳角度を決定するステップである。
【００７９】
本実施例では、ヒンジおよび電子デバイスの前述の詳細な説明を参照して、第１の折畳角度を決定することができる。詳細がここで再び記述されることはない。
【００８０】
ステップ５０３は、前記第１の折畳角度に従って電子デバイスを制御するステップである。
【００８１】
本実施例では、前記電子デバイスへの制御は、以下の制御のうちの少なくとも１つを含む。
【００８２】
前記電子デバイスの音量を制御する。前記電子デバイスの画面輝度を制御する。電子デバイスの表示画面を切り替える。前記電子デバイスの作動するアプリケーションインターフェイスを制御する。
【００８３】
例えば、折畳角度が大きいほど、対応する音量が大きくなり、折畳角度が小さいほど、対応する音量が小さくなる。折畳角度が大きいほど、対応する画面輝度が高くなり、折畳角度が小さいほど、対応する画面輝度が低くなる。折畳角度がプリセット値よりも大きい場合、第１のスクリーンに切り替え、折畳角度がプリセット値よりも小さい場合、第２のスクリーンに切り替える。折畳角度が第１のスクリーンにある場合、実行中のアプリケーションインターフェイスを全画面で表示し、折畳角度が第２のプリセット区間にある場合、実行中のアプリケーションインターフェイスを終了する。
【００８４】
本発明の実施例において、ヒンジの第１の金属片と第２の金属片との間の電気信号に従ってヒンジの折畳角度を決定し、得られた折畳角度の精確が比較的高く、折畳角度で電子デバイスを制御することができ、電子デバイスを制御・管理するための折畳操作の応用範囲を拡大することができ、折畳操作がより豊富な応用管理機能を実現させる。
【００８５】
図６は、本発明の様々な実施例を実施する電子デバイスのハードウェア構造の概略図である。この電子デバイス６００は、無線周波数ユニット６０１、ネットワークモジュール６０２、音声出力ユニット６０３、入力ユニット６０４、センサー６０５、および表示ユニット６０６、ユーザ入力ユニット６０７、インターフェースユニット６０８、メモリ６０９、プロセッサ６１０、および電源６１１などの部品を含むが、これらに限定されない。電子デバイス６００は、第１の基板および第２の基板をさらに含む。前記第１の基板および前記第２の基板は、上記ヒンジで連結され、前記第１の基板には第１のスクリーンが設けられ、第２の基板には第２のスクリーンが設けられている。当業者なら、図６に示す電子デバイスの構造が電子デバイスの限定を構成するものではなく、電子デバイスが図に示すものより多いまたは少ない部品か、または何らかの部品を組み合わせるか、または異なる部品配置を含み得ることを理解することができる。本発明の実施例では、電子デバイスは、携帯電話、タブレット、ノートパソコン、パームトップパソコン、車載端末、ウェアラブルデバイス、および歩数計を含むが、これらに限定されない。
【００８６】
プロセッサ６１０は、電気信号の変化を検出した場合は、前記第１の金属片と前記第２の金属片の間の第１の電気信号を取得し、前記第１の電気信号に従って前記ヒンジの第１の折畳角度を決定し、前記第１の折畳角度に従って、前記電子デバイスを制御する。
【００８７】
任意選択で、前記プロセッサ６１０が前記電子デバイスへの制御は、以下の制御のうちの少なくとも１つを含む。前記電子デバイスの音量を制御する。前記電子デバイスの画面輝度を制御する。電子デバイスの表示画面を切り替える。前記電子デバイスの作動するアプリケーションインターフェイスを制御する。
【００８８】
電子デバイス６００は、上記の実施例の電子デバイスによって実施される各ステップを実現することができる。詳細がここで再び記述されることはない。
【００８９】
本発明の実施例の電子デバイス６００において、ヒンジの第１の金属片と第２の金属片との間の電気信号に従ってヒンジの折畳角度を決定し、得られた折畳角度の精確が比較的高く、折畳角度で電子デバイスを制御することができ、電子デバイスを制御・管理するための折畳操作の応用範囲を拡大することができ、折畳操作がより豊富な応用管理機能を実現させる。
【００９０】
本発明の実施例では、無線周波数ユニット６０１は、情報の送受信または通話過程での信号の送受信をするために使用され得ることを理解されたい。具体的には、基地局からのダウンリンクデータを受信後、プロセッサ６１０によって処理され、また、アップリンクデータを基地局に送信する。一般に、無線周波数ユニット６０１は、アンテナ、１つ以上の増幅器、トランシーバ、カプラ、低ノイズ増幅器、ダイプレクサなどを含むが、これらに限定されない。さらに、無線周波数ユニット６０１はまた、無線通信システムを介してネットワークおよび他のデバイスと通信することもできる。
【００９１】
電子デバイスは、ネットワークモジュール６０２を介して無線ブロードバンドインターネットアクセスをユーザに提供しており、例えば、ユーザが電子メールを送受信したり、ウェブページを閲覧したり、ストリーミングメディアにアクセスしたりするのを支援するなど。
【００９２】
音声出力ユニット６０３は、無線周波数ユニット６０１またはネットワークモジュール６０２によって受信された、またはメモリ６０９に格納された音声データを音声信号に変換し、それを音声として出力することができる。音声出力ユニット６０３は、電子デバイス６００によって実行される特定の機能（例えば、ペーシング信号の受信音、メッセージ受信音など）に関連する音声出力をさらに提供することができる。音声出力ユニット６０３は、スピーカー、ブザー、受話器などを含む。
【００９３】
入力ユニット６０４は、音声または動画信号を受信するために使用される。入力ユニット６０４は、ビデオキャプチャモードまたは画像キャプチャモードで画像キャプチャ装置（カメラなど）によって取得された静止画像またはビデオ画像データを処理するグラフィックプロセッシングユニット（Ｇｒａｐｈｉｃｓ  Ｐｒｏｃｅｓｓｉｎｇ  Ｕｎｉｔ，  ＧＰＵ）６０４１およびマイクロフォン６０４２を含み得る。処理された画像フレームは、表示ユニット６０６に表示することができる。グラフィックプロセッシングユニット６０４１によって処理された画像フレームは、メモリ６０９（または他の記憶媒体）に格納され得るか、または無線周波数ユニット６０１やネットワークモジュール６０２を介して送信され得る。マイクロフォン６０４２は、音を受信することができ、そのような音を音声データに処理することもできる。処理された音声データは、電話通話モードの場合に、無線周波数ユニット６０１を介して移動通信基地局に送信できるフォーマットに変換して出力することができる。
【００９４】
電子デバイス６００は、光センサー、運動センサー、および他のセンサーなどの少なくとも１つのセンサー６０５をさらに含む。具体的には、光センサーは、周囲光の明るさに応じて表示パネル６０６１の輝度を調整することができる環境光センサーと、電子デバイス６００が耳に移動したときに表示パネル６０６１および／またはバックライトを閉じることができる近接センサーとを含む。加速度計センサーは、運動センサーの一種として、さまざまな方向（通常は３軸）の加速度の大きさを検出することができ、静止時の重力の大きさ及び方向を検出でき、電子デバイス姿勢の識別（水平および垂直画面切り替え、関連ゲーム、磁力計の姿勢キャリブレーションなど）、振動による関連機能（歩数計、叩きなど）の識別をするために使用することができる。センサー６０５は、指紋センサー、圧力センサー、虹彩センサー、分子センサー、ジャイロスコープ、気圧計、湿度計、温度計、赤外線センサー等をさらに含み得る。詳細がここで再び記述されることはない。
【００９５】
表示ユニット６０６は、ユーザが入力した情報またはユーザに提供した情報を表示するように構成されている。表示ユニット６０６は、表示パネル６０６１を含み得る。表示パネル６０６１は、液晶ディスプレイ（Ｌｉｑｕｉｄ  Ｃｒｙｓｔａｌ  Ｄｉｓｐｌａｙ，ＬＣＤ）、有機発光ダイオード（Ｏｒｇａｎｉｃ  Ｌｉｇｈｔ−Ｅｍｉｔｔｉｎｇ  Ｄｉｏｄｅ，ＯＬＥＤ）などの形式で配置され得る。
【００９６】
ユーザ入力ユニット６０７は、入力された数字または文字情報を受信し、電子デバイスのユーザ設定および機能制御に関連するキー信号入力を生成するように構成されている。具体的には、ユーザ入力ユニット６０７は、タッチパネル６０７１および他の入力装置６０７２を含む。タッチパネル６０７１は、タッチスクリーンとも呼ばれ、その上またはその近くでの（例えば、ユーザが指やスタイラスペンなどの任意の適切な物体または付属品を使用してタッチパネル６０７１上またはタッチパネル６０７１の近くでの操作）ユーザのタッチ操作を収集することができる。タッチパネル６０７１は、タッチ検出装置およびタッチコントローラの二つの部分を含み得る。タッチ検出装置は、ユーザのタッチ位置を検出し、タッチ操作による信号を検出し、その信号をタッチコントローラに送信する。タッチコントローラは、タッチ検出装置からタッチ情報を受信し、それを触点座標に変換し、プロセッサ６１０に送信し、プロセッサ６１０からのコマンドを受信して実行する。さらに、タッチパネル６０７１は、抵抗式、電気容量式、赤外線、および表面音波などの様々なタイプを使用して実現することができる。タッチパネル６０７１に加えて、ユーザ入力ユニット６０７は他の入力装置６０７２をさらに含み得る。具体的には、他の入力装置６０７２は、物理キーボード、機能キー（音量制御キー、スイッチキーなど）、トラックボール、マウス、およびジョイスティックを含み得るが、これらに限定されない。詳細がここで再び記述されることはない。
【００９７】
さらに、タッチパネル６０７１は、表示パネル６０６１を覆うことができ、タッチパネル６０７１がその上またはその近くでのタッチ操作を検出すると、プロセッサ６１０に送信し、タッチイベントのタイプを決定し、その後、プロセッサ６１０がタッチイベントのタイプに応じて、表示パネル６０６１上に対応する視覚的出力を提供する。図６では、タッチパネル６０７１および表示パネル６０６１は、電子デバイスの入出力機能を実現するための２つの独立した部品として使用されるが、いくつかの実施例では、タッチパネル６０７１と表示パネル６０６１を集成することで端末の入出力機能を実現することができ、具体的にはここで限定しない。
【００９８】
インターフェースユニット６０８は、外部装置と電子デバイス６００とを接続するインターフェースである。例えば、外部装置は、有線または無線のヘッドフォンポート、外部電源（またはバッテリ充電器）ポート、有線または無線のデータポート、メモリカードポート、識別モジュールを有する装置に接続するためのポート、音声入力／出力（Ｉ／Ｏ）ポート、ビデオＩ／Ｏポート、ヘッドフォンポート等を含み得る。インターフェースユニット６０８は、外部装置からの入力（例えば、データ情報、電力など）を受信し、受信した入力を電子デバイス６００における１つ以上の素子に伝送するために使用されることができ、または電子デバイス６００と外部装置との間でデータを伝送するために使用されることができる。
【００９９】
メモリ６０９は、ソフトウェアプログラムおよび様々なデータを格納するために使用され得る。メモリ６０９は、主にプログラム記憶領域およびデータ記憶領域を含むことができ、プログラム記憶領域は、操作システム、少なくとも１つの機能に必要なアプリケーションプログラム（音声再生機能、画像再生機能など）などを収納でき、データ記憶領域は、携帯電話の使用による作成されたデータ（音声データ、電話帳など）を収納できる。また、メモリ６０９は、高速ランダムアクセスメモリを含み得、少なくとも１つのディスクメモリ、フラッシュメモリ、他の揮発性ソリッドステートメモリなどの非揮発性メモリをさらに含み得る。
【０１００】
プロセッサ６１０は、電子デバイスの制御センターであり、様々なインターフェースおよび回線で電子デバイス全体の各部を接続し、メモリ６０９に格納されたソフトウェアプログラムおよび／またはモジュールを運行または実行すること、及びメモリ６０９に格納されたデータを呼び出すことによって、電子デバイスの各種機能とデータの処理を実行し、電子デバイス全体を監視する。プロセッサ６１０は、１つ以上の処理ユニットを含み得る。任意選択で、プロセッサ６１０は、アプリケーションプロセッサおよびモデムプロセッサを集成することができ、アプリケーションプロセッサは、主に操作システム、ユーザインターフェース、およびアプリケーションプログラムなどを処理し、モデムプロセッサは、主に無線通信を処理する。上記のモデムプロセッサは、プロセッサ６１０に集成されなくてもよいと理解され得る。
【０１０１】
電子デバイス６００はまた、様々な構成要素に電力を供給するための電源６１１（バッテリーなど）を含み得る。任意選択で、電源６１１は、電力管理システムを介して充電、放電、および電力消費を管理するために、電力管理システムを介してプロセッサ６１０に論理的に接続され得る。管理およびその他の機能。
【０１０２】
さらに、電子デバイス６００は、示されていないいくつかの機能モジュールを含む。詳細がここで再び記述されることはない。任意選択で、本発明の実施例は、プロセッサ６１０、メモリ６０９、メモリ６０９に格納され、且つ前記プロセッサ６１０上で実行されるコンピュータプログラムを含む電子デバイスをさらに提供し、このコンピュータプログラムがプロセッサ６１０によって実行されるときに、上述電子デバイスの制御方法の実施例の各ステップを実現し、且つ同じ技術的効果を達成できる。詳細はここで再び記述されることはない。
【０１０３】
本発明の実施例は、コンピュータプログラムが記憶されたコンピュータ読み取り可能な記憶媒体をさらに提供し、このコンピュータプログラムがプロセッサによって実行されるときに、上述電子デバイスの制御方法の実施例の各ステップを実現し、且つ同じ技術的効果を達成できる。詳細がここで再び記述されることはない。前記コンピュータ読み取り可能な記憶媒体は、読み出し専用メモリ（Ｒｅａｄ−Ｏｎｌｙ  Ｍｅｍｏｒｙ，ＲＯＭ）、ランダムアクセスメモリ（Ｒａｎｄｏｍ  Ａｃｃｅｓｓ  Ｍｅｍｏｒｙ，ＲＡＭ）、磁気ディスクまたは光ディスクなどである。
【０１０４】
また、本明細書において、「含む」、「有する」という用語、およびその他の任意の変形は、非排他的な包含をカバーすることを意図しており、例えば、一連の要素を含むプロセス、方法、物品、または装置は、それらの要素を含むだけではなく、明示的にリストアップされてはいない他の要素、またはそのようなプロセス、方法、物品もしくは装置に固有のその他の要素を含み得る、ということに留意すべきである。これ以上の制限がない場合、「〜を含む」という文で限定された要素は、その要素を含むプロセス、方法、物品、または装置の内に他の同一の要素が存在することを排除するものではない。
【０１０５】
上記の実施形態の説明を通じて、当業者は、上記の実施形態の方法が、ソフトウェアおよび必要な汎用ハードウェアプラットフォームによって実現され得ることを明確に理解することができる。もちろん、ハードウェアによっても実施できるが、多くの場合、前者の方が優れている。この理解に基づいて、本発明の技術的なソリューションの本質または先行技術に寄与する部分は、ソフトウェア製品の形で体現することができ、このコンピュータソフトウェア製品が一つの記憶媒体（ＲＯＭ／ＲＡＭ、磁気ディスク、光ディスク）に収納されて、１台の端末（携帯電話、コンピュータ、サーバ、エアコン、またはネットワークデバイスなどであり得る）に本発明の各実施例の記載方法を実行させるためのいくつかの命令を含む。
【０１０６】
以上は、添付の図面に関して本発明の実施例についての説明であって、本発明を制限するためのものではなく、上記の詳細な実施形態は、例示的にすぎず、限定的ではなく、当業者は、本発明の啓発の下で、本発明の主旨および請求項の保護範囲から逸脱することなく、多くの形態を作成することができ、いずれも本発明の保護範囲内に含まれるべきである。
【符号の説明】
【０１０７】
１００  折畳スクリーン
１０１  第１のスクリーン
１０２  第２のスクリーン
１０３  ヒンジ
２０１  第１のスリーブ
２０２  第２のスリーブ
３０１  第１のスリーブ
３０２  第１の金属片
３０３  第２のスリーブ
３０４  第２の金属片
３０５  第１の電気信号検出器
３０６  第１の電源
３０７  負荷
４０１  第１のスリーブ
４０２  第１の金属片
４０３  第２のスリーブ
４０４  第２の金属片
４０５  第２の電気信号検出器
４０６  第２の電源
４０７  負荷
６００  電子デバイス
６０１  無線周波数ユニット
６０２  ネットワークモジュール
６０３  音声出力ユニット
６０４  入力ユニット
６０５  センサー
６０６  表示ユニット
６０７  ユーザ入力ユニット
６０８  インターフェースユニット
６０９  メモリ
６１０  プロセッサ
６１１  電源
１０３１  第１のスリーブ
１０３２  第２のスリーブ
１０３３  第３のスリーブ
１０３４  第４のスリーブ
１０３５  ギャップ
６０４１  グラフィックプロセッシングユニット
６０４２  マイクロフォン
６０６１  表示パネル
６０７１  タッチパネル
６０７２  入力装置
【図１】
2022500611.tif 000016
【図２】
2022500611.tif 000017
【図３】
2022500611.tif 000018
【図４】
2022500611.tif 000019
【図５】
2022500611.tif 000020
【図６】
2022500611.tif 000021
【手続補正書】
【提出日】令和3年3月24日(2021.3.24)
【手続補正１】
【補正対象書類名】特許請求の範囲
【補正対象項目名】全文
【補正方法】変更
【補正の内容】
【特許請求の範囲】
【請求項１】
ヒンジで連結されたＮ個のスリーブを含むヒンジであって、
前記Ｎ個のスリーブのうち、任意の隣接する２つのスリーブが互いに結合することができ、前記Ｎが２以上の正の整数であり、
第１のスリーブの第１の側壁に第１の金属片が設けられ、第２のスリーブの第２の側壁に第２の金属片が設けられ、前記第１のスリーブと前記第２のスリーブとは隣接する２つのスリーブであり、
前記第１のスリーブと前記第２のスリーブとが結合する場合、前記第１の側壁は前記第２の側壁に対向し、且つ、前記第１の金属片と前記第２の金属片とはオーバーラップする正射投影領域を有して、
前記第１の金属片と前記第２のうちの少なくとも１つの金属片に電気信号が印加されており、且つ前記第１のスリーブと前記第２のスリーブとが相対移動する場合、前記第１の金属片と前記第２の金属片の間の電気信号が変化することを特徴とする、ヒンジで連結されたＮ個のスリーブを含むヒンジ。
【請求項２】
前記第１のスリーブが第２のスリーブに結合され、前記第１の側壁が前記第１のスリーブの外側壁であり、前記第２のスリーブの側壁は前記第２のスリーブの内側壁であり、前記第１の金属片の第１の側部には第１の接点が設けられ、前記第２の金属片の第１の側部には第２の接点が設けられ、前記第１の接点が第２の金属片に沿って移動することができ、前記第２の接点が第１の金属片に沿って移動することができる、請求項１に記載のヒンジ。
【請求項３】
前記第１の金属片の第２の側部が負荷を介して第１の電源に電気的に接続され、前記第２の金属片の第２の側部が接地され、また前記第１の金属片の第２の側部が第１の電気信号検出器と電気的に接続されている、請求項２に記載のヒンジ。
【請求項４】
前記第１の金属片と第２の金属片との間にギャップがある、請求項１に記載のヒンジ。
【請求項５】
前記第１の金属片と第２の金属片との間のギャップに誘電体が充填で満たされている、請求項４に記載のヒンジ。
【請求項６】
第１の目標金属片が第２の電源に電気的に接続され、第２の目標金属片が第２の電気信号検出器に電気的に接続され、前記第１の目標金属片が前記第１の金属片および前記第２の金属片のうちのいずれかの金属片であり、前記第２の目標金属片が前記第１の金属片および前記第２の金属片のうちの前記第１の目標金属片以外の金属片である、請求項４に記載のヒンジ。
【請求項７】
第１の基板、第２の基板、および請求項１から６のいずれか一項に記載のヒンジを含み、前記第１の基板と前記第２の基板がヒンジで連結されている、電子デバイス。
【請求項８】
前記第１の基板には第１のスクリーンが設けられ、第２の基板には第２のスクリーンが設けられている、請求項７に記載の電子デバイス。
【請求項９】
電気信号の変化を検出した場合、前記第１の金属片と前記第２の金属片との間の第１の電気信号を取得するステップであって、
前記第１の電気信号によって、前記ヒンジの第１の折畳角度を決定し、前記第１の折畳角度によって、前記電子デバイスを制御する、ステップを含む、請求項７または８に記載の電子デバイスに適用される電子デバイス制御方法。
【請求項１０】
前記電子デバイスを制御することには、前記電子デバイスの音量を制御することと、前記電子デバイスの画面輝度を制御することと、電子デバイスの表示画面を切り替えることと、前記電子デバイスの作動するアプリケーションインターフェイスを制御することのうちの少なくとも１つを含む、請求項９に記載の方法。
【請求項１１】
プロセッサ、メモリ、および、メモリに格納され、且つ前記プロセッサ上で実行されるコンピュータプログラムを含む電子デバイスであって、該コンピュータプログラムがプロセッサによって実行されるときに、請求項９又は１０に記載の電子デバイスの制御方法を実現する、電子デバイス。
【請求項１２】
コンピュータプログラムが記憶されたコンピュータ読み取り可能な記憶媒体であって、該コンピュータプログラムがプロセッサによって実行されるときに、請求項９又は１０に記載の電子デバイスの制御方法を実現する、コンピュータ読み取り可能な記憶媒体。
【国際調査報告】
2022500611.tif 000022
2022500611.tif 000023
2022500611.tif 000024
2022500611.tif 000025